(57)【要約】  【課題】デパート、マンション等の建築物のエアーコンデッショナー等騒音を発生する箇所に設置されて消音し、以てその建築部に隣接するそれより高層の建築物内の居住者、従事者等の人々への騒音の低減を図る消音装置を提供する。  【解決手段】平面形状が矩形状の枠体４と、肉部に孔８が多数形成され枠体４内にこの高さ方向に軸方向が延びるように配設された複数の無底円筒体６と、無底円筒体６・６間どうしを、及び周辺無底円筒体６と枠体４との間を連結する連結手段１０と、枠体４内において、隣接無底円筒体６・６間及び枠体・無底円筒体６・４間に配置された吸音材１２とで消音装置２を構成する。  更に、吸音材１２の配置部の上に吸音材１２を覆う覆い板１４を配置する。【選択図】    図１
2005099290.tif 000002
【特許請求の範囲】
【請求項１】
枠体と、
肉部に孔が多数形成され、上記枠体内に該枠体の高さ方向に軸方向が延びるように配設された複数の無底円筒体と、
上記無底円筒体間どうし、及び周辺無底円筒体と上記枠体との間を連結する連結手段と、
上記枠体内において、隣接無底円筒体間及び枠体・無底円筒体間に配置された吸音材と、
からなることを特徴とする消音装置。
【請求項２】
前記吸音材の配置部の上に該吸音材を覆う覆い板が配置されてなる
ことを特徴とする請求項１記載の消音装置。
【発明の詳細な説明】
【技術分野】
【０００１】
本発明は、消音装置、例えば、デパート、マンション等の建築物のエアーコンデッショナー等騒音を発生する箇所に設置されて消音する消音装置に関する。
【背景技術】
【０００２】
本願発明者は防水・防音ルーバー等について特願平２−１９７７９１、特願平７−１６４６２等により各種提案を行い、それが特許第２５６７２９４号公報、特開平８−１８９２６１号公報等により公開された。
このような提案は、建築物の外部から内部への主として雨水等の侵入の防止に関するものであり、提案されたものの中には、建築物の外部から内部への騒音の低減に効果のあるものもある。
【０００３】
しかし、建築物から発生する騒音を低減して他の建築物内に居住し、或いは各種業務に従事する人々が騒音に悩まされないようにする消音装置の必要性が生じており、そのような必要性に応える有効な消音装置の開発はほとんど行われていない。
そのような消音装置の必要性を図４を参照して説明をする。同図において、ａはデパートで、その屋上にデパートａ内のエアーコンデッショナー等の排気をする室外機ｂが設けられている。ｃはそのデパートａの隣の超高層ビルディング（例えばオフィスビル、ホテル、マンション等の建築物）である。
【０００４】
デパートａ内の多くのエアーコンデッショナーからの排気はその屋上の室外機ｂを通じて上向きに行われるが、その室外機ｂ内部には排気用のファンがあり、そのファンの回転音が騒音となり、隣の超高層ビルディングｃの高層部分に居住乃至従事する人々に不快感を与える騒音公害の原因となる。これは看過できない問題であった。
また、ホテルやマンションのように夜間でもエアーコンデッショナーを使用する建築物の隣にそれより高層のホテル、マンションがある場合、その高層のホテル、マンションの住人がその騒音公害により睡眠が妨げられるという非常に深刻な問題が生じている。
特に、騒音に限らず、公害に関して公害発生側への責任追及は厳しくなる傾向が強く、騒音公害に関しても放置することは許されない。
しかし、そのような問題の有効な解決手段は提供されていないのが現状なのである。
【特許文献１】特許第２５６７２９４号公報（特願平２−１９７７９１）
【特許文献２】特開平８−１８９２６１号公報（特願平７−１６４６２）
【発明の開示】
【発明が解決しようとする課題】
【０００５】
ところで、周波数が５００〔Ｈｚ〕以下の騒音に対しては大きな低減効果を得ることは事実上不可能に近く、また、そのような低い周波数の場合、騒音の人への影響は実際上大きくない。しかし、周波数５００〔Ｈｚ〕以上の騒音、特に５００〜１６００〔Ｈｚ〕の周波数の騒音は人への影響が大きく、１０〔ｄＢ〕以上の低減効果が望まれているのが実情である。
【０００６】
本発明はこのような問題点を解決すべく為されたものであり、デパート、マンション等の建築物のエアーコンデッショナー等騒音を発生する箇所に設置されて消音し、以てその建築物に隣接するそれより高層の建築物内の居住者、従業者等の人々への騒音の低減を図る消音装置を提供することを目的とする。
【課題を解決するための手段】
【０００７】
請求項１の消音装置は、枠体と、肉部に孔が多数形成され該枠体内にこの高さ方向に軸方向が延びるように配設された複数の無底円筒体と、該無底円筒体間どうしを、及び周辺無底円筒体と上記枠体との間を連結する連結手段と、上記枠体内において、隣接無底円筒体間及び枠体・無底円筒間に配置された吸音材と、からなることを特徴とする。
請求項２の消音装置は、請求項１の消音装置において、前記吸音材の配置部の上に該吸音材を覆う覆い板が配置されてなることを特徴とする。
【発明の効果】
【０００８】
請求項１の消音装置によれば、枠体の下側から上へ向かう騒音の一部が枠体内の吸音材により吸収される。また、下側から上へ向かう騒音の残りのうちの一部は無底円筒体を通過する過程でその肉部に形成された多数の孔を通じて吸音材に吸収される。
従って、相当に騒音が減衰せしめられ、騒音を低減することができ、建築物からそれより高層の他の建築物への騒音公害が生じることを防止することができる。
そして、各無底円筒体は下から上への排気の通過を許容するので、消音装置が例えばエアーコンデッショナー等の排気を妨げることはない。即ち、排気を妨げることなく騒音を減衰させることができる。
【０００９】
請求項２の消音装置によれば、枠体内の吸音材を覆う覆い板により、吸音材から上側への騒音の漏れを阻むことができる。
尚、図３は本発明消音装置の後述する図示実施例による騒音低減効果を示す図で、横軸が騒音の周波数〔Ｈｚ〕、縦軸が騒音の減衰度〔ｄＢ〕である。この図からかなように、５００〔Ｈｚ〕以上の周波数帯域においては１０〔ｄＢ〕の騒音低減効果があり、騒音公害を防止する充分な効果が得られるのである。特に、１６００〔Ｈｚ〕を越えた４０００〔Ｈｚ〕の周波数においても１０ｄＢ以上減衰が生じており、相当に騒音低減効果が強い。
【発明を実施するための最良の形態】
【００１０】
本発明は、基本的には、枠体と、該枠体内に設けられたところの肉部に孔が多数形成された複数の無底円筒体と、該無底円筒体間どうしを、及び周辺無底円筒体と上記枠体との間を連結する連結手段と、上記枠体内において、隣接無底円筒体間及び枠体・無底円筒間に配置された吸音材と、からなるが、枠体は平面形状が矩形状のものが配置等の面から好ましい。また、該枠体の上部には、上記無底円筒体を逃げる孔を有する、吸音材を覆う覆い板を設けるようにすると良い。というのは、覆い板により吸音材の上面から上への騒音の漏れを防ぎ、吸音材の上への飛散を防ぐことができるからである。
【００１１】
また、枠体の下部に、網（ネット）を設けるようにして、吸音材の部分的落下のおそれを確実に防止するようにしても良い。
本発明消音装置は、普通に実施すると開口率（消音装置の専有面積に対する消音装置内無底円筒体を含め防音効果が薄く音が略素通りする領域の面積の総和の比）が約６０％程度になる。開口率は騒音低減効果を考慮しなければ、放熱等の観点からは１００％が理想といえるが、騒音低減効果を得るには開口率が低下するのはやむをえないことである。しかし、実質開口率（複数の消音装置を配置した配置領域の面積に示すその配置領域内における全消音装置の全無底円筒体を含め防音効果の略無い領域の面積の総和の比）を６０％より大きな値、例えば８０％程度にしたい場合がある。そのような場合には、消音装置の配置間隔により実質開口率を調整し、任意の値にすることができる。
【００１２】
即ち、消音装置は一つのデパート、マンション等に複数個、例えば数個〜数百個に配置されるが、その消音装置の配置間隔を調整することにより、そのデパート、マンションに等における実質開口率を調整できる。具体的には、消音装置を配置間隔なく配置すると、実質開口率が略６０％になり、配置間隔を設けた場合、それを大きくするほど実質開口率を大きくすることができる。
【００１３】
上記枠体及び無底円筒体並びに覆い板（飽くまで覆い板を設けた場合における覆い板）はアルミニウムで形成すると、塗装等の処理をしなくても充分な外観が得られるという利点があり、また、軽量であるという利点がある。しかし、それだと、高価であり、また、防錆性が低いという欠点がある。
それに対して、鋼板にメッキ処理を施したものを用いると低価格で防錆性を充分に得ることができる。特に、Ｚｎ／Ｍｇ／Ａｌメッキをしたものは防錆性に優れ、雨、風に曝されても長寿命化することができるという利点がある。
【実施例１】
【００１４】
以下、本発明を図示実施例に従って詳細に説明する。
図１は本発明消音装置の第１の実施例と、それを構成する無底円筒体、覆い板及び網の斜視図、図２（Ａ）は該第１の実施例の平面図、（Ｂ）は同じく横断面図である。
図面において、２は消音装置（第１の実施例）、４は断面矩形状の枠体で、その高さ方向が垂直方向に沿うように設置される。高さは数十ｃｍ、横（幅）も数十ｃｍ、縦（長さ）数十ｃｍ〜１ｍ数十ｃｍ程度である。
【００１５】
６、６、・・・は無底円筒体で、肉部に多数の小径の孔８、８、・・・が高密度に形成されている。この孔８、８、・・・は該無底円筒体６内を下から上に通る騒音の一部が通り抜けて無底円筒体６外の後述する吸音材（１２）内に入り込んでその吸音材（１２）に吸収されるようにするために形成されたものである。本実施例において、無底円筒体６は横２列、縦４行の８個設けられている。しかしながら、この無底円筒体６の１個の消音装置当たりの数は８個に限定されず、また、配置も横２列、縦４行に限定されず、種々の態様で実施することができる。
【００１６】
１０、１０、・・・は連結具で、リベットを用いて無底円筒体６、６、・・・上端及び下端に、或いは無底円筒体６と枠体４の上端及び下端に取り付けられて、隣接無底円筒体６、６、・・・相互間を、及びこれら無底円筒体６、６、・・・と枠体４とを固定する。
１２は枠体４内の無底円筒体６が占有する以外の部分に充填された吸音材で、例えばガラス繊維等からなり、着色され、また、撥水処理されている。従って、単に吸音性を有するのみならず、雨水が浸入しても変質して吸音性が損なわれるおそれがない。
【００１７】
１４は覆い板で、上記無底円筒体６、６、・・・を逃げる無底円筒体逃げ孔１６、１６、・・・を有し、上記吸音材１２を覆い、上記無底円筒体６、６、・・・を覆わないように上記逃げ孔１６、１６、・・・にて逃げるように配置される。
上記枠体４、無底円筒体６、６、・・・、覆い板１４は例えばアルミニウムにより形成するようにしても良いが、鋼板の表面に塗装をしたもの或いは、鋼板の表面に例えばＺｎ／Ｍｇ／Ａｌメッキをしたものにより形成するようにしても良い。鋼板の表面にＺｎ／Ｍｇ／Ａｌメッキをしたものによれば、防錆性に優れ、外観も良い。
【００１８】
尚、本実施例２においては上記無底円筒体６、６、・・及び上記枠体４の上端部における連結を行う連結具１０、１０、・・・の下側に覆い板１４が設けられているが、必ずしもそのようにすることは不可欠ではなく、覆い板１４が吸音材１２の上側を覆い、無底円筒体６、６、・・・を覆わないようにさえすれば、連結具１０、１０、・・・の下側に設けるようにしても良い。
１８は網具で、網１９をその周辺にて枠２０により保持したもので、枠体４の下面に取り付けられており、吸音材１２の保持の安定性を高めるために取り付けられるが、必ずしも不可欠なものではない。
【００１９】
このような消音装置２によれば、枠体４の下側から上へ向かう騒音の一部が該枠体４内の吸音材１２により吸収される。また、下側から上へ向かう騒音の残りのうちの一部は無底円筒体６、６、・・・を通過する過程でその肉部に形成された多数の孔８、８、・・・を通じて吸音材１２に吸収される。
従って、相当に騒音が減衰せしめられ、騒音を低減することができ、建築物からそれより高層の他の建築物への騒音公害が生じることを防止することができる。
そして、各無底円筒体６、６、・・・は下から上への排気の通過を許容するので、消音装置２が例えばエアーコンデッショナー等の排気を妨げることはない。即ち、排気を妨げることなく騒音を減衰させることができる。
【００２０】
そして、枠体４内の吸音材１２を覆う覆い板１４により、吸音材１２から上側への騒音の漏れを阻むことができ、より有効に騒音を低減させることができる。
尚、前にも述べたが、図３は本実施例２による騒音低減効果を示しており、この図からかなように、５００〔Ｈｚ〕以上の周波数帯域においては１０〔ｄＢ〕の騒音低減効果がある。最も、騒音効果の強い５００〜１６００〔Ｈｚ〕においては周波数が高くなるほど減衰が強く、１４００〔Ｈｚ〕では２０〔ｄＢ〕以上減衰させることができる。更に、４０００〔Ｈｚ〕においても１０〔ｄＢ〕以上減衰できる。従って、騒音公害を防止する充分な効果が得られるのである。
【産業上の利用可能性】
【００２１】
本発明は、デパート、マンション等の建築物のエアーコンデッショナー等騒音を発生する箇所に設置されて消音する消音装置に利用可能性がある。
【図面の簡単な説明】
【００２２】
【図１】本発明消音装置の第１の実施例と、それを構成する無底円筒体、覆い板及び網の斜視図である。
【図２】（Ａ）は上記第１の実施例の平面図、（Ｂ）は同じく横断面図である。
【図３】上記第１の実施例による騒音低減効果を示す図で、横軸が騒音の周波数〔Ｈｚ〕、縦軸が騒音の減衰度〔ｄＢ〕である。
【図４】本発明が解決しようとする問題点の説明図である。
【符号の説明】
【００２３】
２・・・消音装置（実施例）、４・・・枠体、６・・・無底円筒体、
８・・・孔、１０・・・連結手段（連結具）、１２・・・吸音材、
１４・・・覆い板、１６・・・無底円筒体逃げ孔。
【図１】
2005099290.tif 000003
【図２】
2005099290.tif 000004
【図３】
2005099290.tif 000005
【図４】
2005099290.tif 000006